(57)【要約】【課題】  テーブル上を軽快に滑らせることができるとともに使いつづけてもその滑り能力が低下しない、滑り振動の手への伝わりを大幅に軽減する滑り手根部保護具を提供することを目的としている。【解決手段】  手首Ｂを載せる手首載せ部３と、この手首載せ部３から突き出すように設けられた手根部Ｃを乗せるための手根部載せ部４と、手首載せ部３の一方の側から延びるように設けられた手首バンド部５と、手首載せ部３の他方の側から延びるように設けられ且つ手首バンド部５と重なり連結される手首バンド部６と、手首載せ部３および手根部載せ部４のテーブル上での滑り面部を形成する、ループ側面ファスナ部材７からなるループ側面ファスナ滑り面部８と、手首バンド部５と手首バンド部６を着脱自在に連結し且つ手首巻き付け調節が行えるフック側面ファスナ部材９からなる連結手段１０とからなっている。【選択図】図１
2008097061.tif 000002
【特許請求の範囲】
【請求項１】
主にコンピュータ操作をおこなうマウスの使用時に手に装着する滑り手根部保護具であって、
手首を載せる手首載せ部と、
この手首載せ部から突き出すように設けられた手根部を乗せるための手根部載せ部と、
前記手首載せ部の一方の側から延びるように設けられた一方の手首バンド部と、
前記手首載せ部の他方の側から延びるように設けられ且つ前記一方の手首バンド部と重なり連結される他方の手首バンド部と、
前記手首載せ部および前記手根部載せ部のテーブル上での滑り面部を形成する、ループ側面ファスナ部材からなるループ側面ファスナ滑り面部と、
前記一方の手首バンド部と前記他方の手首バンド部を着脱自在に連結し且つ手首巻き付け調節が行える連結手段と、
とからなることを特徴とする滑り手根部保護具。
【請求項２】
手根部載せ部の手首載せ面、手根部載せ部の手根部載せ面、一方の手首バンド部の手首当接面、他方の手首バンド部の手首当接面がループ側面ファスナ部材で形成されてなることを特徴とする請求項１記載の滑り手根部保護具。
【請求項３】
表面、裏面の略全面がループ側面ファスナ部材であり、連結手段が前記ループ側面ファスナ部材に引っ掛かってファスナを形成する引っ掛かり側面ファスナ部材であることを特徴とする請求項１記載の滑り手根部保護具。
【請求項４】
ループ側面ファスナ部材が抗菌繊維により形成されてなることを特徴とする請求項１〜３いずれか記載の滑り手根部保護具。
【請求項５】
手根部載せ部がループ側面ファスナ部材を３〜４層にした形態であることを特徴とする請求項１〜４いずれか記載の滑り手根部保護具。
【請求項６】
手根部載せ部に着脱自在にされた、ループ側面ファスナ部材が１〜２層の手根部載せ部追加層体を設けてなることを特徴とする請求項１〜４いずれか記載の滑り手根部保護具。
【請求項７】
ループ側面ファスナ滑り面部の上部に消音層を設けてなることを特徴とする請求項１〜６いずれか記載の滑り手根部保護具。
【請求項８】
手根部載せ部、一方の手首バンド部、他方の手首バンド部に貫通した通気孔を多数設けてなることを特徴とする請求項１〜７いずれか記載の滑り手根部保護具。
【請求項９】
主にコンピュータ操作をおこなうマウスの使用時に手に装着する滑り手根部保護具であって、
手首を載せる手首載せ部と、
この手首載せ部から突き出すように設けられた手根部を乗せるための手根部載せ部と、
前記手首載せ部の一方の側から延びるように設けられた一方の手首バンド部と、
前記手首載せ部の他方の側から延びるように設けられ且つ前記一方の手首バンド部と重なり連結される他方の手首バンド部と、
前記手首載せ部および前記手根部載せ部のテーブル上での滑り面部を形成する滑り面部と、
前記一方の手首バンド部と前記他方の手首バンド部を着脱自在に連結し且つ手首巻き付け調節が行える連結手段と、
前記一方の手首バンド部と前記他方の手首バンド部に設けられた、手根部の側部が当るのを避けるための凹形態の手避け部と、
この手避け部により形成された前記一方の手首バンド部と前記他方の手首バンド部の手首のくるぶしと手との間に収まる幅のくるぶし前で収まる部位と、
とからなることを特徴とする滑り手根部保護具。
【請求項１０】
一方の手首バンド部と他方の手首バンド部が請求項８記載の一方の手首バンド部と他方の手首バンド部であることを特徴とする請求項１〜８いずれか記載の滑り手根部保護具。
【発明の詳細な説明】
【技術分野】
【０００１】
本発明は、主にコンピュータを操作するマウスの使用時に手に装着して使用する滑り手根部保護具に関する。
【背景技術】
【０００２】
従来、マウスを滑動かし操作する動作においては手根部を操作台に載せ置いた状態で行うために、皮膚が薄く敏感な部分であるためなどの理由により強い刺激を感じ、長時間、長期間おこなっていると強い違和感を感じたり、人によっては強いストレスとなり、人によっては肩こり、腕のしびれ、神経系などに支障をきたす、それが腕以外の身体の他の部位に異常をもたらす引き金になったり、精神面、心理面にまで悪影響を与えているという問題があった。
このような問題を解決するための技術として、マウスの使用時に手根部がマウスパットや机に接触して擦れる違和感を無くすための技術として、特許文献１（特開２００６−１１３６１９の図７）に手載せ具の発明が開示されている。
【０００３】
【特許文献１】特開２００６−１１３６１９（図７）
【非特許文献１】特になし
【発明の開示】
【発明が解決しようとする課題】
【０００４】
特開２００６−１１３６１９の図７に開示された発明は、略手首に巻装着する内側に面ファスナーの一方の側（図示せず）を設けたバンド３１と、このバンド３１に設けられたマウスを支持した手の手のひら、手のひらから略手首ないし略手首を載せる手載せ具本体３２とからなり、手Ａとマウス２を移動させる場合に該Ａの手のひらＢを手載せ具本体３２上に載せ置いて移動させるようにし、手載せ具本体３２から出た取付け部３３には面ファスナーのもう一方の側（図示せず）が設けられて、着脱自在に取付けることができるようになっている。
手載せ具本体３２は特に材質やその形態は記述されておらず、少なくともテーブル上やマウスパット上を滑る部材である。
この従来技術には次のような解決すべき課題があった。
（１）テーブル上を手根部を載せた状態で滑らせるのであるが、一般的な布、紙、剥離剤などの滑り剤を塗布したものなどは、剥がれたり汚れが付着溜まったりするなどして滑りが悪くなってしまうという欠点を有するものであった。
（２）使用しているうちに手根部や手首の汗により濡れてしまい、べたついた違和感のある状態になってしまうという欠点を有するものであった。
（３）汗と細菌により臭気が生じるという欠点を有するものであった。
（４）テーブル上を滑らせたときにその滑り振動が手に伝わって、違和感を感じてしまうという欠点を有するものであった。
（５）手首巻きバンドを手に近い部位に巻いた場合に、手首巻きバンドが手の付け根のあたりに当り強い違和感があるとともに、それを回避するために手から離れた手首部位に手巻きバンドを巻いた場合には、装着性が甘くなり操作中に不用意に動き移動してしまい操作性が大変悪いとともに、手載せ部位を長く形成しなければならず、長い状態の手載せ部位で動き移動すると手載せ部位がマウスに当り操作性が大変悪いという欠点を有するものであった。
【０００５】
本発明は以上のような従来技術の欠点に鑑み、テーブル上を軽快に滑らせることができるとともに使いつづけてもその滑り能力が低下しない、滑り振動の手への伝わりを大幅に軽減する滑り手根部保護具を提供することを目的としている。
また本発明の他の目的は、手根部や手首の汗によりべたついた違和感を感じ難い、汗濡れ状態が素早く解消される滑り手根部保護具を提供することを目的としている。
また本発明の他の目的は、汗濡れ状態となっても非汗濡れ状態での使用に素早く切り替えることができ、滑り振動の手への伝わりを大幅に軽減する滑り手根部保護具を提供することを目的としている。
また本発明の他の目的は、汗と細菌とによる臭気の発生を抑制し、滑り振動の手への伝わりを大幅に軽減する滑り手根部保護具を提供することを目的としている。
また本発明の他の目的は、テーブル上を軽快に滑らせることができるとともに使いつづけてもその滑り能力が低下しない、汗濡れ状態が素早く解消され、汗濡れ状態となっても非汗濡れ状態での使用に素早く切り替えることができ、滑り振動の手への伝わりを大幅に軽減する滑り手根部保護具を提供することを目的としている。
また本発明の他の目的は、手首への装着性が大変よく、操作中に動き移動する事態が生じない滑り手根部保護具を提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらに限定するものではない。
【課題を解決するための手段】
【０００７】
上記目的を達成するために本発明は次のような構成となっている。
＜請求項１記載の発明の構成＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する、ループ側面ファスナ部材からなるループ側面ファスナ滑り面部と、前記一方の手首バンド部と前記他方の手首バンド部を着脱自在に連結し且つ手首巻き付け調節が行える連結手段とで滑り手根部保護具を構成している。
本願では適当な表現用語が見つからないために、その形態を最も適切に表している「ループ側面ファスナ部材」としていが、ループ側面ファスナ部材のみに技術的範囲を限定するものではない。フック形態や略キノコ形態などの引っ掛かり側面ファスナ部材の引っ掛かり体が引っ掛かる、細い繊維部材が多数のループ形態、多数の略ループ形態、不織布形態で引っ掛かり体が入り込み引っ掛かる隙間が形成されてなるもの、不織布形態で隙間が大きく通気性が極めてよくクッション性のよい形態のものを含むものであり、繊維部材が隙間多く配置されてテーブル面との接触面積がその隙間多い繊維部材により小さくて、よって摩擦が少ない滑りが良好な状態を維持しつづけ、クッション性の良いものをいう。
＜請求項２記載の発明の構成＞
請求項１記載の発明の構成において、手根部載せ部の手首載せ面、手根部載せ部の手根部載せ面、一方の手首バンド部の手首当接面、他方の手首バンド部の手首当接面がループ側面ファスナ部材で形成されてなる滑り手根部保護具を構成している。
＜請求項３記載の発明の構成＞
請求項１記載の発明の構成において、表面、裏面の略全面がループ側面ファスナ部材であり、連結手段が前記ループ側面ファスナ部材に引っ掛かってファスナを形成する引っ掛かり側面ファスナ部材である滑り手根部保護具を構成している。
＜請求項４記載の発明の構成＞
請求項１〜３いずれか記載の発明の構成において、ループ側面ファスナ部材が抗菌繊維により形成されてなる滑り手根部保護具を構成している。
＜請求項５記載の発明の構成＞
請求項１〜４いずれか記載の発明の構成において、手根部載せ部がループ側面ファスナ部材を３〜４層にした形態である滑り手根部保護具を構成している。
＜請求項６記載の発明の構成＞
請求項１〜４いずれか記載の発明の構成において、手根部載せ部に着脱自在にされた、ループ側面ファスナ部材が１〜２層の手根部載せ部追加層体を設けてなる滑り手根部保護具を構成している。
＜請求項７記載の発明の構成＞
請求項１〜６いずれか記載の発明の構成において、ループ側面ファスナ滑り面部の上部に消音層を設けてなる滑り手根部保護具を構成している。
＜請求項８記載の発明の構成＞
請求項１〜７いずれか記載の発明の構成において、手根部載せ部、一方の手首バンド部、他方の手首バンド部に貫通した通気孔を多数設けてなる滑り手根部保護具を構成している。
＜請求項９記載の発明の構成＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する滑り面部と、前記一方の手首バンド部と前記他方の手首バンド部を着脱自在に連結し且つ手首巻き付け調節が行える連結手段と、前記一方の手首バンド部と前記他方の手首バンド部に設けられた、手根部の側部が当るのを避けるための凹形態の手避け部と、この手避け部により形成された前記一方の手首バンド部と前記他方の手首バンド部の手首のくるぶしと手との間に収まる幅のくるぶし前で収まる部位とで滑り手根部保護具を構成している。
＜請求項１０記載の発明の構成＞
請求項１〜８いずれか記載の発明の構成において、一方の手首バンド部と他方の手首バンド部が請求項８に記載の一方の手首バンド部と他方の手首バンド部である滑り手根部保護具を構成している。
【発明の効果】
【０００８】
以上の説明から明らかなように、本発明にあっては次に列挙する効果が得られる。
＜請求項１記載の発明の効果＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する、ループ側面ファスナ部材からなるループ側面ファスナ滑り面部と、前記一方の手首バンド部と前記他方の手首バンド部を着脱自在に連結し且つ手首巻き付け調節が行える連結手段とで滑り手根部保護具を構成しているので、次のような効果を奏する。
すなわち、
「ループ側面ファスナ滑り面部」としたことにより、
繊維部材が多数の隙間を形成して且つ載せた手の良好なクッション体を形成するものであるので、テーブルとの接触面積が小さいために摩擦が少なくテーブル上を軽快に滑らせる良好な滑りを得が得られ、使いつづけてもその滑り能力が低下することがない、滑り振動の手への伝わりが大幅に軽減されるという効果を奏する。
＜請求項２記載の発明の効果＞
請求項１記載の発明の構成において、手根部載せ部の手首載せ面、手根部載せ部の手根部載せ面、一方の手首バンド部の手首当接面、他方の手首バンド部の手首当接面がループ側面ファスナ部材で形成されてなる滑り手根部保護具を構成しているので、次のような効果を奏する。
すなわち、
請求項１記載の発明の効果に加えて、手との接触面側もループ側面ファスナ部材で形成されるので、極めて通気性の高い肌接触形態を実現して汗を速やかに乾燥させて汗によるべた付きが生じ難いものを実現できるという効果を奏する。
また、手の接触がクッション性のある繊維織り形態（不織布形態を含む）であるループ側面ファスナ部材となるので、手の接触感がソフト感と適宜なクッション感を得た違和感を感じ難いものにできるという効果を奏する。
＜請求項３記載の発明の効果＞
請求項１記載の発明の構成において、表面、裏面の略全面がループ側面ファスナ部材であり、連結手段が前記ループ側面ファスナ部材に引っ掛かってファスナを形成する引っ掛かり側面ファスナ部材である滑り手根部保護具を構成しているので、次のような効果を奏する。
すなわち、
請求項１記載の発明の効果に加えて、手との接触面側もループ側面ファスナ部材で形成されるので、極めて通気性の高い肌接触形態を実現して汗を速やかに乾燥させて汗によるべた付きが生じ難いものを実現できるという効果を奏する。
また、手の接触がクッション性のある繊維織り形態（不織布形態を含む）であるループ側面ファスナ部材となるので、手の接触感がソフト感と適宜なクッション感を得た違和感を感じ難いものにできるという効果を奏する。
また、表面と裏面が同じループ側面ファスナ部材であり、手首バンドの連結手段がループ側面ファスナ部材に引っ掛かってファスナを形成する引っ掛かり側面ファスナ部材であるので、汗により裏面が湿っぽくなったら裏返して表面を肌に接触するように簡単素早く切り替えて使用することが可能であり、通気性も極めて高いので、短時間の使用操作で湿っぽくたっていた裏面も乾燥状態になるので、大変便利であるという効果を奏する。
＜請求項４記載の発明の効果＞
請求項１〜３いずれか記載の発明の構成において、ループ側面ファスナ部材が抗菌繊維により形成されてなる滑り手根部保護具を構成しているので、次のような効果を奏する。
すなわち、
請求項１〜３いずれか記載の発明の効果に加えて、抗菌繊維とすることによ汗で濡れた状態となっても雑菌の繁殖が抑えれれることから、臭気が生じ難いという効果を奏する。
＜請求項５記載の発明の効果＞
請求項１〜４いずれか記載の発明の構成において、手根部載せ部がループ側面ファスナ部材を３〜４層にした形態である滑り手根部保護具を構成しているので、次のような効果を奏する。
すなわち、
請求項１〜４いずれか記載の発明の効果に加えて、手根部載せ部をループ側面ファスナ部材を３〜４層形態としたことにより、よりクッション性がよく、滑り振動の手への伝わりが軽減され、手の高さがテーブル面から略８ｍｍ（４層  １層の厚みが略２ｍｍ）程度となって指で摘み持ったマウスの操作性が良いという効果を奏する。
＜請求項６記載の発明の効果＞
請求項１〜４いずれか記載の発明の構成において、手根部載せ部に着脱自在にされた、ループ側面ファスナ部材が１〜２層の手根部載せ部追加層体を設けてなる滑り手根部保護具を構成しているので、次のような効果を奏する。
すなわち、
請求項１〜４いずれか記載の発明の効果に加えて、手根部載せ部の厚みを好みの厚さにしたり、汗で湿ったら裏返す汗による湿り気回避体として使用したりできるという効果を奏する。
＜請求項７記載の発明の効果＞
請求項１〜６いずれか記載の発明の構成において、ループ側面ファスナ滑り面部の上部に消音層を設けてなる滑り手根部保護具を構成しているので、次のような効果を奏する。
すなわち、
請求項１〜６いずれか記載の発明と同様な効果を奏するとともに、消音層により滑り音を小さくできるとともに、滑り振動の吸収による軽減と良好なクッション性を得ることができるという効果を奏する。
＜請求項８記載の発明の効果＞
請求項１〜７いずれか記載の発明の構成において、  手根部載せ部、一方の手首バンド部、他方の手首バンド部に貫通した通気孔を多数設けてなる滑り手根部保護具を構成しているので、次のような効果を奏する。
すなわち、
請求項１〜７いずれか記載の発明と同様な効果を奏するとともに、多数の通気孔と隙間だらけの繊維層とによりより汗を素早く乾燥させることができるという効果を奏する。
＜請求項９記載の発明の効果＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する滑り面部と、前記一方の手首バンド部と前記他方の手首バンド部を着脱自在に連結し且つ手首巻き付け調節が行える連結手段と、前記一方の手首バンド部と前記他方の手首バンド部に設けられた、手根部の側部が当るのを避けるための凹形態の手避け部と、この手避け部により形成された前記一方の手首バンド部と前記他方の手首バンド部の手首のくるぶしと手との間に収まる幅のくるぶし前で収まる部位とで滑り手根部保護具を構成しているので、次のような効果を奏する。
すなわち、
手首バンドを凹形態の手避け部を設け、手首のくるぶしと手との間に収まる幅のくるぶし前で収まる部位を形成したので、軽く手首に装着しても違和感の少ない装着を実現し且つ動かない安定性と安心性のある滑り手根部保護具を実現するという効果を奏する。
＜請求項１０記載の発明の効果＞
請求項１〜８いずれか記載の発明の構成において、一方の手首バンド部と他方の手首バンド部が請求項８に記載の一方の手首バンド部と他方の手首バンド部である滑り手根部保護具を構成しているので、次のような効果を奏する。
すなわち、
請求項１〜８いずれか記載の発明の効果に請求項９記載の発明の効果を加えた効果を有する滑り手根部保護具を実現するという効果を奏する。
【発明を実施するための最良の形態】
【０００９】
以下、図面に示す発明を実施するための最良の形態により、本発明を詳細に説明する。
【００１０】
＜第１の実施の形態＞
図１、図２、図３に示す本発明を実施するための最良の第１の実施の形態において１は滑り手根部保護具であった、この滑り手根部保護具１は主にコンピュータ操作をおこなうマウス２の使用時に手Ａに装着する滑り手根部保護具であって、
手首Ｂを載せる手首載せ部３と、この手首載せ部３から突き出すように設けられた手根部Ｃを乗せるための手根部載せ部４と、手首載せ部３の一方の側から延びるように設けられた手首バンド部５と、手首載せ部３の他方の側から延びるように設けられ且つ手首バンド部５と重なり連結される手首バンド部６と、手首載せ部３および手根部載せ部４のテーブル上での滑り面部を形成する、ループ側面ファスナ部材７からなるループ側面ファスナ滑り面部８と、手首バンド部５と手首バンド部６を着脱自在に連結し且つ手首巻き付け調節が行えるフック側面ファスナ部材９からなる連結手段１０とからなっている。
表面、裏面の略全面がループ側面ファスナ部材７であるループ側面ファスナ部材の２層形態となっている。
連結手段１０がループ側面ファスナ部材に引っ掛かってファスナを形成するフック側面ファスナ部材９（引っ掛かり側面ファスナ部材）となっている。
ループ側面ファスナ部材は、汗による最近の繁殖と臭気の発生を抑える抗菌繊維により形成されている。
手首バンド部５と手首バンド部６には手根部Ｃの側部が当るのを避けるための凹形態の手避け部１１、１１が設けられ、この手避け部１１、１１により一方の手首バンド部５と他方の手首バンド部６には手首のくるぶしＤと手Ａとの間に収まる幅のくるぶし前で収まる部位１２、１２が形成されている。
ループ側面ファスナ部材７は厚みが略２ｍｍであり、二枚のループ側面ファスナ部材７を耐水性接着剤により貼り合せて形成していて、洗剤で水洗いすることができる。
【００１１】
（発明を実施するための異なる形態）
次に、本発明を実施するための異なる形態について説明する。なお、これら本発明を実施するための異なる形態の説明に当たって、前述した実施の形態の説明と同じ構成には同じ符号を付しその説明を省略する。
【００１２】
図４に示す本発明を実施するための最良の第２の実施の形態において前記第１の実施の形態と主に異なる点は、
手根部載せ部４にフック側面ファスナ部材７からなる連結手段１５により着脱自在にされた、略不織布形態とか不織布形態とループ形態の組合せからなるループ側面ファスナ部材１４が１層で消音層１８が１層の手根部載せ部追加層体１６を設け、手根部載せ部４、手首バンド部５、手首バンド部６に貫通した通気孔１７を多数設てなる滑り手根部保護具２０を形成した点にある。
ループ側面ファスナ滑り面部８、手根部載せ部４、手首バンド部５、手首バンド部６などもループ側面ファスナ部材１４となっている。
手根部載せ部４はループ側面ファスナ部材１４を一体的に重ねた３〜４層形態とするのもよい。また、２層目ないし３層目を消音層１８とするのもよい。
【００１３】
図５に示す本発明を実施するための最良の第３の実施の形態において前記第１の実施の形態と主に異なる点は、
ループ面ファスナ部材７に肌が接触しているとかぶれるなどの症状が生じる人のために、肌にかぶれなどを起さない木綿や麻や絹などの部材でできた、保護カバー２４を設けた点にある。
保護カバー２４は全体的に滑り手根部保護具１と同様な形で該１よりも一回り大きな形態となっていて、フック側面ファスナ部材９からなる取り付け手段２６、２７が手首巻き部２８、２９に設けら、手載保護部３０に手根部を載せるようになっている。
【００１４】
図６に示す本発明を実施するための最良の第４の実施の形態において前記第１の実施の形態と主に異なる点は、
手首の奥側腕もテーブルに接触しないように手首載せ部を延長した形態の腕載せ部３３を設けた滑り手根部保護具３４を形成した点にある。
また、ループ面ファスナ部材７に肌が接触しているとかぶれるなどの症状が生じる人のために、肌にかぶれなどを起さない木綿や麻や絹などの部材でできた、保護カバー３５を設けた点にある。
保護カバー３５は全体的に滑り手根部保護具３４と同様な形で該３４よりも一回り大きな形態となっていて、フック側面ファスナ部材９からなる取り付け手段２６、２７が手首巻き部２８、２９に設けら、手保護部３０に手を載せ、腕保護部３６に腕を載せるようになっている。
【産業上の利用可能性】
【００１５】
本発明は主にパソコン周辺グッズ産業で利用される。
【図面の簡単な説明】
【００１６】
【図１】本発明を実施するための最良の第１の実施の形態を示す背面図、正面図、平面図、底面図、左側面図および右側面図。
【図２】本発明を実施するための最良の第１の実施の形態のマウスを持っての使用状態を示す下方から観た斜視図。
【図３】本発明を実施するための最良の第１の実施の形態の使用状態を示す斜視図。
【図４】本発明を実施するための最良の第２の実施の形態を背面図、正面図および平面図。
【図５】本発明を実施するための最良の第３の実施の形態を示す滑り手根部保護具の背面図、保護カバーの背面図および取り付け状態を示す背面図。
【図６】本発明を実施するための最良の第４の実施の形態を示す滑り手根部保護具の背面図、保護カバーの背面図および取り付け状態を示す背面図。
【符号の説明】
【００１７】
Ａ：手、
Ｂ：手首、
Ｃ：手根部、
Ｄ：くるぶし、
１：滑り手根部保護具、
２：マウス、
３：手首載せ部、
４：手根部載せ部、
５：手首バンド部、
６：手首バンド部、
７：ループ側面ファスナ部材、
８：ループ側面ファスナ滑り面部、
９：フック側面ファスナ部材、
１０：連結手段、
１１、１１：手避け部、
１２、１２：くるぶし前で収まる部位、
１４：ループ側面ファスナ部材、
１５：連結手段、
１６：手根部載せ部追加層体、
１７：通気孔、
１８：消音層、
２０：滑り手根部保護具、
２４：保護保護カバー、
２６：取り付け手段、
２７：取り付け手段、
２８：手首巻き部、
２９：手首巻き部、
３０：手載保護部、
３３：腕載せ部、
３４：滑り手根部保護具、
３５：保護カバー、
３６：腕保護部、
３７：保護カバー。
【図１】
2008097061.tif 000003
【図２】
2008097061.tif 000004
【図３】
2008097061.tif 000005
【図４】
2008097061.tif 000006
【図５】
2008097061.tif 000007
【図６】
2008097061.tif 000008
【手続補正書】
【提出日】平成19年11月10日(2007.11.10)
【手続補正１】
【補正対象書類名】特許請求の範囲
【補正対象項目名】全文
【補正方法】変更
【補正の内容】
【特許請求の範囲】
【請求項１】
主にコンピュータ操作をおこなうマウスの使用時に手に装着する滑り手根部保護具であって、
手首を載せる手首載せ部と、
この手首載せ部から突き出すように設けられた手根部を乗せるための手根部載せ部と、
前記手首載せ部の一方の側から延びるように設けられた一方の手首バンド部と、
前記手首載せ部の他方の側から延びるように設けられ且つ前記一方の手首バンド部と重なり連結される他方の手首バンド部と、
前記手首載せ部および前記手根部載せ部のテーブル上での滑り面部を形成する滑り面部と、
前記一方の手首バンド部と前記他方の手首バンド部を着脱自在に連結し且つ手首巻き付け調節が行える連結手段と、
前記一方の手首バンド部と前記他方の手首バンド部に設けられた、手根部の側部が当るのを避けるための凹形態の手避け部と、
この手避け部により形成された前記一方の手首バンド部と前記他方の手首バンド部の手首のくるぶしと手との間に収まる幅のくるぶし前で収まる部位と、
とからなることを特徴とする滑り手根部保護具。
【手続補正２】
【補正対象書類名】明細書
【補正対象項目名】全文
【補正方法】変更
【補正の内容】
【発明の詳細な説明】
【技術分野】
【０００１】
本発明は、主にコンピュータを操作するマウスの使用時に手に装着して使用する滑り手根部保護具に関する。
【背景技術】
【０００２】
従来、マウスを滑動かし操作する動作においては手根部を操作台に載せ置いた状態で行うために、皮膚が薄く敏感な部分であるためなどの理由により強い刺激を感じ、長時間、長期間おこなっていると強い違和感を感じたり、人によっては強いストレスとなり、人によっては肩こり、腕のしびれ、神経系などに支障をきたす、それが腕以外の身体の他の部位に異常をもたらす引き金になったり、精神面、心理面にまで悪影響を与えているという問題があった。
このような問題を解決するための技術として、マウスの使用時に手根部がマウスパットや机に接触して擦れる違和感を無くすための技術として、特許文献１（特開２００６−１１３６１９の図７）に手載せ具の発明が開示されている。
【０００３】
【特許文献１】特開２００６−１１３６１９（図７）
【非特許文献１】特になし
【発明の開示】
【発明が解決しようとする課題】
【０００４】
特開２００６−１１３６１９の図７に開示された発明は、略手首に巻装着する内側に面ファスナーの一方の側（図示せず）を設けたバンド３１と、このバンド３１に設けられたマウスを支持した手の手のひら、手のひらから略手首ないし略手首を載せる手載せ具本体３２とからなり、手Ａとマウス２を移動させる場合に該Ａの手のひらＢを手載せ具本体３２上に載せ置いて移動させるようにし、手載せ具本体３２から出た取付け部３３には面ファスナーのもう一方の側（図示せず）が設けられて、着脱自在に取付けることができるようになっている。
手載せ具本体３２は特に材質やその形態は記述されておらず、少なくともテーブル上やマウスパット上を滑る部材である。
この従来技術には次のような解決すべき課題があった。
（１）テーブル上を手根部を載せた状態で滑らせるのであるが、一般的な布、紙、剥離剤などの滑り剤を塗布したものなどは、剥がれたり汚れが付着溜まったりするなどして滑りが悪くなってしまうという欠点を有するものであった。
（２）使用しているうちに手根部や手首の汗により濡れてしまい、べたついた違和感のある状態になってしまうという欠点を有するものであった。
（３）汗と細菌により臭気が生じるという欠点を有するものであった。
（４）テーブル上を滑らせたときにその滑り振動が手に伝わって、違和感を感じてしまうという欠点を有するものであった。
（５）手首巻きバンドを手に近い部位に巻いた場合に、手首巻きバンドが手の付け根のあたりに当り強い違和感があるとともに、それを回避するために手から離れた手首部位に手巻きバンドを巻いた場合には、装着性が甘くなり操作中に不用意に動き移動してしまい操作性が大変悪いとともに、手載せ部位を長く形成しなければならず、長い状態の手載せ部位で動き移動すると手載せ部位がマウスに当り操作性が大変悪いという欠点を有するものであった。
【０００５】
本発明は以上のような従来技術の欠点に鑑み、手首への装着性が大変よく、操作中に動き移動する事態が生じない滑り手根部保護具を提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらに限定するものではない。
【課題を解決するための手段】
【０００７】
上記目的を達成するために本発明は次のような構成となっている。
＜請求項１記載の発明の構成＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する滑り面部と、前記一方の手首バンド部と前記他方の手首バンド部を着脱自在に連結し且つ手首巻き付け調節が行える連結手段と、前記一方の手首バンド部と前記他方の手首バンド部に設けられた、手根部の側部が当るのを避けるための凹形態の手避け部と、この手避け部により形成された前記一方の手首バンド部と前記他方の手首バンド部の手首のくるぶしと手との間に収まる幅のくるぶし前で収まる部位とで滑り手根部保護具を構成している。
【発明の効果】
【０００８】
以上の説明から明らかなように、本発明にあっては次に列挙する効果が得られる。
＜請求項１記載の発明の効果＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する滑り面部と、前記一方の手首バンド部と前記他方の手首バンド部を着脱自在に連結し且つ手首巻き付け調節が行える連結手段と、前記一方の手首バンド部と前記他方の手首バンド部に設けられた、手根部の側部が当るのを避けるための凹形態の手避け部と、この手避け部により形成された前記一方の手首バンド部と前記他方の手首バンド部の手首のくるぶしと手との間に収まる幅のくるぶし前で収まる部位とで滑り手根部保護具を構成しているので、次のような効果を奏する。
すなわち、
手首バンドを凹形態の手避け部を設け、手首のくるぶしと手との間に収まる幅のくるぶし前で収まる部位を形成したので、軽く手首に装着しても違和感の少ない装着を実現し且つ動かない安定性と安心性のある滑り手根部保護具を実現するという効果を奏する。
【発明を実施するための最良の形態】
【０００９】
以下、図面に示す発明を実施するための最良の形態により、本発明を詳細に説明する。
【００１０】
＜第１の実施の形態＞
図１、図２、図３に示す本発明を実施するための最良の第１の実施の形態において１は滑り手根部保護具であった、この滑り手根部保護具１は主にコンピュータ操作をおこなうマウス２の使用時に手Ａに装着する滑り手根部保護具であって、
手首Ｂを載せる手首載せ部３と、この手首載せ部３から突き出すように設けられた手根部Ｃを乗せるための手根部載せ部４と、手首載せ部３の一方の側から延びるように設けられた手首バンド部５と、手首載せ部３の他方の側から延びるように設けられ且つ手首バンド部５と重なり連結される手首バンド部６と、手首載せ部３および手根部載せ部４のテーブル上での滑り面部を形成する、ループ側面ファスナ部材７からなるループ側面ファスナ滑り面部８と、手首バンド部５と手首バンド部６を着脱自在に連結し且つ手首巻き付け調節が行えるフック側面ファスナ部材９からなる連結手段１０とからなっている。
表面、裏面の略全面がループ側面ファスナ部材７であるループ側面ファスナ部材の２層形態となっている。
連結手段１０がループ側面ファスナ部材に引っ掛かってファスナを形成するフック側面ファスナ部材９（引っ掛かり側面ファスナ部材）となっている。
ループ側面ファスナ部材は、汗による最近の繁殖と臭気の発生を抑える抗菌繊維により形成されている。
手首バンド部５と手首バンド部６には手根部Ｃの側部が当るのを避けるための凹形態の手避け部１１、１１が設けられ、この手避け部１１、１１により一方の手首バンド部５と他方の手首バンド部６には手首のくるぶしＤと手Ａとの間に収まる幅のくるぶし前で収まる部位１２、１２が形成されている。
ループ側面ファスナ部材７は厚みが略２ｍｍであり、二枚のループ側面ファスナ部材７を耐水性接着剤により貼り合せて形成していて、洗剤で水洗いすることができる。
【００１１】
（発明を実施するための異なる形態）
次に、本発明を実施するための異なる形態について説明する。なお、これら本発明を実施するための異なる形態の説明に当たって、前述した実施の形態の説明と同じ構成には同じ符号を付しその説明を省略する。
【００１２】
図４に示す本発明を実施するための最良の第２の実施の形態において前記第１の実施の形態と主に異なる点は、
手根部載せ部４にフック側面ファスナ部材７からなる連結手段１５により着脱自在にされた、略不織布形態とか不織布形態とループ形態の組合せからなるループ側面ファスナ部材１４が１層で消音層１８が１層の手根部載せ部追加層体１６を設け、手根部載せ部４、手首バンド部５、手首バンド部６に貫通した通気孔１７を多数設てなる滑り手根部保護具２０を形成した点にある。
ループ側面ファスナ滑り面部８、手根部載せ部４、手首バンド部５、手首バンド部６などもループ側面ファスナ部材１４となっている。
手根部載せ部４はループ側面ファスナ部材１４を一体的に重ねた３〜４層形態とするのもよい。また、２層目ないし３層目を消音層１８とするのもよい。
【００１３】
図５に示す本発明を実施するための最良の第３の実施の形態において前記第１の実施の形態と主に異なる点は、
ループ面ファスナ部材７に肌が接触しているとかぶれるなどの症状が生じる人のために、肌にかぶれなどを起さない木綿や麻や絹などの部材でできた、保護カバー２４を設けた点にある。
保護カバー２４は全体的に滑り手根部保護具１と同様な形で該１よりも一回り大きな形態となっていて、フック側面ファスナ部材９からなる取り付け手段２６、２７が手首巻き部２８、２９に設けら、手載保護部３０に手根部を載せるようになっている。
【００１４】
図６に示す本発明を実施するための最良の第４の実施の形態において前記第１の実施の形態と主に異なる点は、
手首の奥側腕もテーブルに接触しないように手首載せ部を延長した形態の腕載せ部３３を設けた滑り手根部保護具３４を形成した点にある。
また、ループ面ファスナ部材７に肌が接触しているとかぶれるなどの症状が生じる人のために、肌にかぶれなどを起さない木綿や麻や絹などの部材でできた、保護カバー３５を設けた点にある。
保護カバー３５は全体的に滑り手根部保護具３４と同様な形で該３４よりも一回り大きな形態となっていて、フック側面ファスナ部材９からなる取り付け手段２６、２７が手首巻き部２８、２９に設けら、手保護部３０に手を載せ、腕保護部３６に腕を載せるようになっている。
［付記１］
他の発明は以上のような従来技術の欠点に鑑み、テーブル上を軽快に滑らせることができるとともに使いつづけてもその滑り能力が低下しない、滑り振動の手への伝わりを大幅に軽減する滑り手根部保護具を提供することを目的としている。
また他の発明の他の目的は、手根部や手首の汗によりべたついた違和感を感じ難い、汗濡れ状態が素早く解消される滑り手根部保護具を提供することを目的としている。
また他の発明の他の目的は、汗濡れ状態となっても非汗濡れ状態での使用に素早く切り替えることができ、滑り振動の手への伝わりを大幅に軽減する滑り手根部保護具を提供することを目的としている。
また他の発明の他の目的は、汗と細菌とによる臭気の発生を抑制し、滑り振動の手への伝わりを大幅に軽減する滑り手根部保護具を提供することを目的としている。
また他の発明の他の目的は、テーブル上を軽快に滑らせることができるとともに使いつづけてもその滑り能力が低下しない、汗濡れ状態が素早く解消され、汗濡れ状態となっても非汗濡れ状態での使用に素早く切り替えることができ、滑り振動の手への伝わりを大幅に軽減する滑り手根部保護具を提供することを目的としている。
また他の発明の他の目的は、手首への装着性が大変よく、操作中に動き移動する事態が生じない滑り手根部保護具を提供することを目的としている。
［付記２］
＜他の発明１記載の発明の構成＞＜請求項１記載の発明の構成＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する、ループ側面ファスナ部材からなるループ側面ファスナ滑り面部と、前記一方の手首バンド部と前記他方の手首バンド部を着脱自在に連結し且つ手首巻き付け調節が行える連結手段とで滑り手根部保護具を構成している。
本願では適当な表現用語が見つからないために、その形態を最も適切に表している「ループ側面ファスナ部材」としていが、ループ側面ファスナ部材のみに技術的範囲を限定するものではない。フック形態や略キノコ形態などの引っ掛かり側面ファスナ部材の引っ掛かり体が引っ掛かる、細い繊維部材が多数のループ形態、多数の略ループ形態、不織布形態で引っ掛かり体が入り込み引っ掛かる隙間が形成されてなるもの、不織布形態で隙間が大きく通気性が極めてよくクッション性のよい形態のものを含むものであり、繊維部材が隙間多く配置されてテーブル面との接触面積がその隙間多い繊維部材により小さくて、よって摩擦が少ない滑りが良好な状態を維持しつづけ、クッション性の良いものをいう。
＜他の発明２記載の発明の構成＞＜請求項２記載の発明の構成＞
他の発明１記載の発明の構成において、手根部載せ部の手首載せ面、手根部載せ部の手根部載せ面、一方の手首バンド部の手首当接面、他方の手首バンド部の手首当接面がループ側面ファスナ部材で形成されてなる滑り手根部保護具を構成している。
＜他の発明３記載の発明の構成＞＜請求項３記載の発明の構成＞
他の発明１記載の発明の構成において、表面、裏面の略全面がループ側面ファスナ部材であり、連結手段が前記ループ側面ファスナ部材に引っ掛かってファスナを形成する引っ掛かり側面ファスナ部材である滑り手根部保護具を構成している。
＜他の発明４記載の発明の構成＞＜請求項４記載の発明の構成＞
他の発明１〜３いずれか記載の発明の構成において、ループ側面ファスナ部材が抗菌繊維により形成されてなる滑り手根部保護具を構成している。
＜他の発明５記載の発明の構成＞＜請求項５記載の発明の構成＞
他の発明１〜４いずれか記載の発明の構成において、手根部載せ部がループ側面ファスナ部材を３〜４層にした形態である滑り手根部保護具を構成している。
＜他の発明６記載の発明の構成＞＜請求項６記載の発明の構成＞
他の発明１〜４いずれか記載の発明の構成において、手根部載せ部に着脱自在にされた、ループ側面ファスナ部材が１〜２層の手根部載せ部追加層体を設けてなる滑り手根部保護具を構成している。
＜他の発明７記載の発明の構成＞＜請求項７記載の発明の構成＞
他の発明１〜６いずれか記載の発明の構成において、ループ側面ファスナ滑り面部の上部に消音層を設けてなる滑り手根部保護具を構成している。
＜他の発明８記載の発明の構成＞＜請求項８記載の発明の構成＞
他の発明１〜７いずれか記載の発明の構成において、手根部載せ部、一方の手首バンド部、他方の手首バンド部に貫通した通気孔を多数設けてなる滑り手根部保護具を構成している。
＜他の発明９記載の発明の構成＞＜請求項９記載の発明の構成＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する滑り面部と、前記一方の手首バンド部と前記他方の手首バンド部を着脱自在に連結し且つ手首巻き付け調節が行える連結手段と、前記一方の手首バンド部と前記他方の手首バンド部に設けられた、手根部の側部が当るのを避けるための凹形態の手避け部と、この手避け部により形成された前記一方の手首バンド部と前記他方の手首バンド部の手首のくるぶしと手との間に収まる幅のくるぶし前で収まる部位とで滑り手根部保護具を構成している。
＜他の発明１０記載の発明の構成＞＜請求項１０記載の発明の構成＞
他の発明１〜８いずれか記載の発明の構成において、一方の手首バンド部と他方の手首バンド部が他の発明８に記載の一方の手首バンド部と他方の手首バンド部である滑り手根部保護具を構成している。
［付記３］
＜他の発明１記載の発明の効果＞＜請求項１記載の発明の効果＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する、ループ側面ファスナ部材からなるループ側面ファスナ滑り面部と、前記一方の手首バンド部と前記他方の手首バンド部を着脱自在に連結し且つ手首巻き付け調節が行える連結手段とで滑り手根部保護具を構成しているので、次のような効果を奏する。
すなわち、
「ループ側面ファスナ滑り面部」としたことにより、
繊維部材が多数の隙間を形成して且つ載せた手の良好なクッション体を形成するものであるので、テーブルとの接触面積が小さいために摩擦が少なくテーブル上を軽快に滑らせる良好な滑りを得が得られ、使いつづけてもその滑り能力が低下することがない、滑り振動の手への伝わりが大幅に軽減されるという効果を奏する。
＜他の発明２記載の発明の効果＞＜請求項２記載の発明の効果＞
他の発明１の構成において、手根部載せ部の手首載せ面、手根部載せ部の手根部載せ面、一方の手首バンド部の手首当接面、他方の手首バンド部の手首当接面がループ側面ファスナ部材で形成されてなる滑り手根部保護具を構成しているので、次のような効果を奏する。
すなわち、
他の発明１の効果に加えて、手との接触面側もループ側面ファスナ部材で形成されるので、極めて通気性の高い肌接触形態を実現して汗を速やかに乾燥させて汗によるべた付きが生じ難いものを実現できるという効果を奏する。
また、手の接触がクッション性のある繊維織り形態（不織布形態を含む）であるループ側面ファスナ部材となるので、手の接触感がソフト感と適宜なクッション感を得た違和感を感じ難いものにできるという効果を奏する。
＜他の発明３記載の発明の効果＞＜請求項３記載の発明の効果＞
他の発明１の構成において、表面、裏面の略全面がループ側面ファスナ部材であり、連結手段が前記ループ側面ファスナ部材に引っ掛かってファスナを形成する引っ掛かり側面ファスナ部材である滑り手根部保護具を構成しているので、次のような効果を奏する。
すなわち、
他の発明の効果に加えて、手との接触面側もループ側面ファスナ部材で形成されるので、極めて通気性の高い肌接触形態を実現して汗を速やかに乾燥させて汗によるべた付きが生じ難いものを実現できるという効果を奏する。
また、手の接触がクッション性のある繊維織り形態（不織布形態を含む）であるループ側面ファスナ部材となるので、手の接触感がソフト感と適宜なクッション感を得た違和感を感じ難いものにできるという効果を奏する。
また、表面と裏面が同じループ側面ファスナ部材であり、手首バンドの連結手段がループ側面ファスナ部材に引っ掛かってファスナを形成する引っ掛かり側面ファスナ部材であるので、汗により裏面が湿っぽくなったら裏返して表面を肌に接触するように簡単素早く切り替えて使用することが可能であり、通気性も極めて高いので、短時間の使用操作で湿っぽくたっていた裏面も乾燥状態になるので、大変便利であるという効果を奏する。
＜他の発明４記載の発明の効果＞＜請求項４記載の発明の効果＞
他の発明１〜３いずれか記載の発明の構成において、ループ側面ファスナ部材が抗菌繊維により形成されてなる滑り手根部保護具を構成しているので、次のような効果を奏する。
すなわち、
他の発明１〜３いずれか記載の発明の効果に加えて、抗菌繊維とすることによ汗で濡れた状態となっても雑菌の繁殖が抑えれれることから、臭気が生じ難いという効果を奏する。
＜他の発明５記載の発明の効果＞＜請求項５記載の発明の効果＞
他の発明１〜４いずれか記載の発明の構成において、手根部載せ部がループ側面ファスナ部材を３〜４層にした形態である滑り手根部保護具を構成しているので、次のような効果を奏する。
すなわち、
他の発明１〜４いずれか記載の発明の効果に加えて、手根部載せ部をループ側面ファスナ部材を３〜４層形態としたことにより、よりクッション性がよく、滑り振動の手への伝わりが軽減され、手の高さがテーブル面から略８ｍｍ（４層  １層の厚みが略２ｍｍ）程度となって指で摘み持ったマウスの操作性が良いという効果を奏する。
＜他の発明６記載の発明の効果＞＜請求項６記載の発明の効果＞
他の発明１〜４いずれか記載の発明の構成において、手根部載せ部に着脱自在にされた、ループ側面ファスナ部材が１〜２層の手根部載せ部追加層体を設けてなる滑り手根部保護具を構成しているので、次のような効果を奏する。
すなわち、
他の発明１〜４いずれか記載の発明の効果に加えて、手根部載せ部の厚みを好みの厚さにしたり、汗で湿ったら裏返す汗による湿り気回避体として使用したりできるという効果を奏する。
＜他の発明７記載の発明の効果＞＜請求項７記載の発明の効果＞
他の発明１〜６いずれか記載の発明の構成において、ループ側面ファスナ滑り面部の上部に消音層を設けてなる滑り手根部保護具を構成しているので、次のような効果を奏する。
すなわち、
他の発明１〜６いずれか記載の発明と同様な効果を奏するとともに、消音層により滑り音を小さくできるとともに、滑り振動の吸収による軽減と良好なクッション性を得ることができるという効果を奏する。
＜他の発明８記載の発明の効果＞＜請求項８記載の発明の効果＞
他の発明１〜７いずれか記載の発明の構成において、  手根部載せ部、一方の手首バンド部、他方の手首バンド部に貫通した通気孔を多数設けてなる滑り手根部保護具を構成しているので、次のような効果を奏する。
すなわち、
他の発明１〜７いずれか記載の発明と同様な効果を奏するとともに、多数の通気孔と隙間だらけの繊維層とによりより汗を素早く乾燥させることができるという効果を奏する。
＜他の発明９記載の発明の効果＞＜請求項９記載の発明の効果＞
主にコンピュータ操作をおこなうマウスの使用時に手に装着する滑り手根部保護具であって、手首を載せる手首載せ部と、この手首載せ部から突き出すように設けられた手根部を乗せるための手根部載せ部と、前記手首載せ部の一方の側から延びるように設けられた一方の手首バンド部と、前記手首載せ部の他方の側から延びるように設けられ且つ前記一方の手首バンド部と重なり連結される他方の手首バンド部と、前記手首載せ部および前記手根部載せ部のテーブル上での滑り面部を形成する滑り面部と、前記一方の手首バンド部と前記他方の手首バンド部を着脱自在に連結し且つ手首巻き付け調節が行える連結手段と、前記一方の手首バンド部と前記他方の手首バンド部に設けられた、手根部の側部が当るのを避けるための凹形態の手避け部と、この手避け部により形成された前記一方の手首バンド部と前記他方の手首バンド部の手首のくるぶしと手との間に収まる幅のくるぶし前で収まる部位とで滑り手根部保護具を構成しているので、次のような効果を奏する。
すなわち、
手首バンドを凹形態の手避け部を設け、手首のくるぶしと手との間に収まる幅のくるぶし前で収まる部位を形成したので、軽く手首に装着しても違和感の少ない装着を実現し且つ動かない安定性と安心性のある滑り手根部保護具を実現するという効果を奏する。
＜他の発明１０記載の発明の効果＞＜請求項１０記載の発明の効果＞
他の発明１〜８いずれか記載の発明の構成において、一方の手首バンド部と他方の手首バンド部が他の発明８に記載の一方の手首バンド部と他方の手首バンド部である滑り手根部保護具を構成しているので、次のような効果を奏する。
すなわち、
他の発明１〜８いずれか記載の発明の効果に他の発明９記載の発明の効果を加えた効果を有する滑り手根部保護具を実現するという効果を奏する。

【産業上の利用可能性】
【００１５】
本発明は主にパソコン周辺グッズ産業で利用される。
【図面の簡単な説明】
【００１６】
【図１】本発明を実施するための最良の第１の実施の形態を示す背面図、正面図、平面図、底面図、左側面図および右側面図。
【図２】本発明を実施するための最良の第１の実施の形態のマウスを持っての使用状態を示す下方から観た斜視図。
【図３】本発明を実施するための最良の第１の実施の形態の使用状態を示す斜視図。
【図４】本発明を実施するための最良の第２の実施の形態を背面図、正面図および平面図。
【図５】本発明を実施するための最良の第３の実施の形態を示す滑り手根部保護具の背面図、保護カバーの背面図および取り付け状態を示す背面図。
【図６】本発明を実施するための最良の第４の実施の形態を示す滑り手根部保護具の背面図、保護カバーの背面図および取り付け状態を示す背面図。
【符号の説明】
【００１７】
Ａ：手、
Ｂ：手首、
Ｃ：手根部、
Ｄ：くるぶし、
１：滑り手根部保護具、
２：マウス、
３：手首載せ部、
４：手根部載せ部、
５：手首バンド部、
６：手首バンド部、
７：ループ側面ファスナ部材、
８：ループ側面ファスナ滑り面部、
９：フック側面ファスナ部材、
１０：連結手段、
１１、１１：手避け部、
１２、１２：くるぶし前で収まる部位、
１４：ループ側面ファスナ部材、
１５：連結手段、
１６：手根部載せ部追加層体、
１７：通気孔、
１８：消音層、
２０：滑り手根部保護具、
２４：保護保護カバー、
２６：取り付け手段、
２７：取り付け手段、
２８：手首巻き部、
２９：手首巻き部、
３０：手載保護部、
３３：腕載せ部、
３４：滑り手根部保護具、
３５：保護カバー、
３６：腕保護部、
３７：保護カバー。